(57)【要約】  本発明は、ベーシックユニットを備えた、ノックダウン式フラットレイ家具キットを開示する。このベーシックユニットは、概ね矩形のバックボード（１００）と、このバックボード（１００）の垂直縁部にヒンジ式で接続されたラダー状フレームを備え、バックボード（１００）上にフラットにした位置及びバックボード（１００）に対して直角に拡げた位置の間で移動させることができる、１対の概ね矩形の金属製側部材（２００）と、側部材（２００）の水平横木に密接して嵌合するクリップによって装着された、少なくとも１つの追加パネルと、この追加パネルが外れるのを抑制するための安定手段と、を備える。【選択図】図１
2021501026.tif 000002
【特許請求の範囲】
【請求項１】
ノックダウン式フラットレイ家具キットであって、
概ね矩形であるバックボード（１００）と、
前記バックボード（１００）の垂直縁部にヒンジ式に接続されたラダー状フレームを有し、それによって前記ラダー状フレームを、前記バックボード（１００）にフラットに据えた位置、及び前記バックボード（１００）に対して直角に拡がる位置の間で移動させることができる、１対の概ね矩形の金属製側部材（２００）と
を備えたベーシックユニットと、
前記金属製側部材（２００）の水平横木に密接して嵌合するクリップ部材によって、前記ラダー状フレームに装着された、少なくとも１つの追加パネルと、
前記追加パネルが外れるのを抑制するための安定手段と
を備える、組立式平置き家具キット。
【請求項２】
前記安定手段は、前記金属製側部材（２００）と前記バックボード（１００）との間に空隙を有する形状であり、前記金属製側部材（２００）と係合可能に接触した、少なくとも１つの突起部（５０１）は、前記空隙の間の箇所に位置され、前記追加パネルの縁部から延び、第１のストッパとして作用して前記追加パネルの側方の移動を防止する、請求項１に記載のキット。
【請求項３】
前記安定手段は、ピン（５０３）を受け入れるために前記追加パネルの各縁部に穴（５０４）を有する形状であり、前記穴（５０４）は、前記追加パネルが装着される前記水平横木の下方に近接して位置され、それによって各ピン（５０３）は、それぞれの水平横木に下側に係合可能に接触することができ、前記追加パネルの長手方向の移動を防止する、請求項１または２に記載のキット。
【請求項４】
前記安定手段は、少なくとも１つの前記金属製側部材（２００）または前記バックボード（１００）に装着されたストッパ（５００）を有する形状であり、前記追加パネルの上方に近接した箇所に位置され、前記追加パネルの外側端部に荷重が加えられたときに、前記追加パネルがひっくり返るのを防止する、請求項１〜３のうちいずれか一項に記載のキット。
【請求項５】
前記ストッパ（５００）は、前記金属製側部材（２００）または前記バックボード（１００）に装着可能な細長いＵ型クリップ（５００）である、請求項４に記載のキット。
【請求項６】
前記安定手段は、前記追加パネルの下側から突出した少なくとも１つの突起部（５０２）を有する形状であり、前記クリップ部材（４００）と係合可能に接触して、前記追加パネルが滑るのを防止する、請求項１〜５のうちいずれか一項に記載のキット。
【発明の詳細な説明】
【技術分野】
【０００１】
本発明は家具に関する。より詳細には、本発明は、異なる形状の追加パネルを用いて異なる目的に役立つことができる、ノックダウン式フラットレイ家具キットに関する。
【背景技術】
【０００２】
家具は、座る、食べる、及び寝るなど、様々な人の活動を支えるよう意図された、移動可能な物として定義され得る。さらに家具は、作業に便利な高さに対象物を保持するため、または物を保管するためにも使用される。今の時代、大部分の人は狭い空間に住むので、家具の全ての部品を２つの役割を担うように作ることが必要となる。狭い場所に住むために、「多目的」の考えは大いに役立つ。所有物が２つ以上の機能を実行すると、人々は、より少ない所有物のみ必要とし得る。現在の家において、多目的家具は空間を節減し、それによって人々はより小さく、より効率的な住居を選択できる。ユニット家具としても知られている多目的家具は、必要に応じて拡張または縮小することができ、一度に２つの役割を担うか、または１つの機能から別の機能へ円滑に移行することができる。
【０００３】
米国特許第３５５６５８６号明細書に示される１つの例において、具体的には子供用家具で、選択可能な物品の位置付けにより、背のまっすぐな椅子、揺り椅子、机、及びテーブルとして機能的に使用可能で、硬質プラスチック材料を成形した一体構造の中空壁として形成された家具の、多機能物品を開示している。しかし、開示された家具は制限を有するため、その家具は保管目的のコンパクトサイズに折り畳むことができない。
【０００４】
米国特許出願公開第２００８／０２７６８３９号明細書に示される第２の例において、転用可能な家具アイテムが開示されている。開示された家具アイテムは、椅子付きのコーヒーテーブルとダイニングテーブルとの間で、家具を水平位置から直立位置へ単純に回転させることによって、転用可能である。しかし、この家具は困難な接続を有するため、搬送及び保管目的のために、小さい部品に容易に分解することができない。
【０００５】
一方で、ベルギー国特許発明第１００８８４３号明細書は、椅子、スツール、テーブルまたは棚の間で機能を転換できる、家具の折り畳み部品を開示している。その家具はヒンジから成り、家具をある程度折り畳むことが可能である。しかし、家具の剛性は保証されていない。
【先行技術文献】
【特許文献】
【０００６】
【特許文献１】米国特許第３５５６５８６号明細書
【特許文献２】米国特許出願公開第２００８／０２７６８３９号明細書
【特許文献３】ベルギー国特許発明第１００８８４３号明細書
【発明の概要】
【発明が解決しようとする課題】
【０００７】
ごく狭い場所において、簡易な接続によって、折り畳み可能で小さい部品に取り外し可能な、多機能家具の発明を提供することが必要である。したがって、本発明はこのような家具を提供する。
【課題を解決するための手段】
【０００８】
本発明の主な目的は、以下のベーシックユニットを有するノックダウン式フラットレイ家具キットを提供することである。このベーシックユニットは、概ね矩形のバックボードと、このバックボードの垂直縁部にヒンジ式で接続されたラダー状フレームを備え、バックボードにフラットに据えた位置及びバックボードに対して直角に拡げた位置の間で移動させることができる、１対の概ね矩形の金属製側部材と、を含む。
【０００９】
好ましくは、キットは、クリップ部材によってフレームに装着されたパネルを含む。これらのクリップ部材は、横木及び側部材の側部品に密接して嵌合する。
【００１０】
好ましくは、キットはバックパネルをさらに含み、これらのバックパネルを接続するための相互係止手段を有する。
【００１１】
好ましくは、側部材は、水平の横木及び傾斜した横木の両方を有する、ラダー状部材を含む。
【００１２】
好ましくは、バックボードは、垂直軸に沿って対称に折り畳むことができる、１対のヒンジ式パネルを備える。
【００１３】
好ましくは、追加パネルは、限定ではないが、引き出し、棚、キャビネット、折り畳み可能なテーブル、及び椅子を含み得る。
【００１４】
代替として、クリップ部材はＵ型フックを備え、このフックから延びたフランジを伴う。
【００１５】
代替として、側部パネルは、ヒンジの隣に制限手段を含み、側部パネルが拡がるのを制限して、追加パネルを装着する前にキットが直立するのを可能にする。
【００１６】
代替として、キットは、クリップ部材及び追加パネルに適用された耐震対策を、さらに含む。
【００１７】
本発明の第２の目的は、以下のベーシックユニットを備えた、ノックダウン式フラットレイ家具キットを提供することである。このベーシックユニットは、概ね矩形のバックボードと、このバックボードの垂直縁部にヒンジ式で接続されたラダー状フレームを備え、バックボード上にフラットに据えた位置及びバックボードに対して直角に拡げた位置の間で移動させることができる、１対の概ね矩形の金属製側部材と、側部材の水平横木に密接して嵌合するクリップによって装着される、少なくとも１つの追加パネルと、この追加パネルが外れるのを抑制するための安定手段と、を含む。
【００１８】
好ましくは、安定手段は、側部材とバックボードとの間に空隙を有する形状である。側部材と係合可能に接触した、少なくとも１つの突起部は、この空隙の間の箇所に位置され、追加パネルの一方の縁部から延び、第１のストッパとして作用して、追加パネルの横方向の移動を防止する。
【００１９】
好ましくは、安定手段は、ピンを受け入れるために、追加パネルの各縁部に穴を有する形状である。これらの穴は、追加パネルが装着される水平横木の下方に近接して位置され、それによって各ピンは、それぞれの水平横木の下側に係合可能に接触することができ、追加パネルの長手方向の移動を防止する。
【００２０】
好ましくは、安定手段は、少なくとも１つの側部材またはバックボードに装着されたストッパを有する形状であり、追加パネルの上方に近接して位置され、追加パネルの外側端部に荷重が加えられたときに、追加パネルがひっくり返るのを防止する。
【００２１】
好ましくは、ストッパは、側部材またはバックボードに装着可能な細長いＵ型クリップである。
【００２２】
好ましくは、安定手段は、追加パネルの下側から突出した少なくとも１つの突起部を有する形状であり、クリップ部材と係合可能に接触して、追加パネルが滑るのを防止する。
【００２３】
当業者は、本発明が、目的を実行するよう、かつ記載した目標及び利点、ならびにそれらの本質を獲得するよう、良好に適合されることを容易に理解するであろう。本明細書で説明される実施形状は、本発明の範囲を限定することを意図しない。
【００２４】
本発明の理解を促進させる目的で、精査からの好ましい実施形態が添付の図に例示される。この精査を以下の説明と共に考慮するとき、本発明、その構造、動作、及びその多くの利点は、容易に理解かつ解釈されよう。
【図面の簡単な説明】
【００２５】
【図１】ノックダウン式フラットレイ家具キットを示す図である。
【図２】家具キットのベーシックユニット及び拡張ユニットを示す図である。
【図３】家具キットの棚を示す図である。
【図４】家具キットの装入コーナーを示す図である。
【図５】家具キットの引き出しアセンブリを示す図である。
【図６】家具キットの折り畳みテーブルアセンブリを示す図である。
【図７】家具キットの取り外し可能な保管箱を示す図である。
【図８】家具キットのワイヤフレームの拡張部を示す図である。
【図９】ワイヤフレームを保持するためのフックを示す図である。
【図１０】クリップ部材の第１の実施形態を示す図である。
【図１１Ａ】クリップ部材の第２の実施形態を示す図である。
【図１１Ｂ】クリップ部材の第２の実施形態への、追加パネルの装着を示す図である。
【図１２】引き出しアセンブリのローラを示す図である。
【図１２Ａ】引き出しアセンブリのローラの断面を示す図である。
【図１３】側部材の脚部の基部を示す図である。
【図１４】ストッパの形状の安全手段を示す図である。
【図１４Ａ】ストッパの家具キットへの装着を示す図である。
【図１５】突起部の形状である安全手段を示す図である。
【図１５Ａ】突起部の家具キットへの適用を示す図である。
【図１６】安全ピンの形状である安全手段を示す図である。
【発明を実施するための形態】
【００２６】
次に本発明を、例として図を参照してより詳細に説明する。
【００２７】
図１及び図２は、付属物を伴うノックダウン式フラットレイ家具キットの図を示す。家具キットは、ベーシックユニットを有する。このベーシックユニットは、概ね矩形であるバックボード１００と、バックボード１００の垂直縁部にヒンジ式に接続されたラダー状フレームによって形成され、２つの位置に動くような、１対の概ね矩形の金属製側部材２００とを備える。これら２つの位置のうちの一方では、側部材２００はバックボード１００にフラットに据えられ、他方では、側部材２００はバックボード１００に対して直角に拡がる。側部材２００、２１０は、側部パネルの拡がりを制限するための制限手段をさらに含み、追加パネルを装着する前にキットが直立するのを可能にする。好ましくは、これらの制限手段は、限定ではないが、側部材２００、２１０のラダー状フレームに加えられた追加のバー、またはバックボード１００、１１０の端部に加えられたストッパもしくは隆起部とすることができる。バックボード１００は、波形にする方法で垂直軸に沿って折り畳み可能な、１対のヒンジ式パネルから成る。キットは、相互係止手段によって主バックボード１００に、単一の側部材２１０を有する別のバックボードを装着することによって、水平方向にも拡張可能である。さらに、バックボード１００は、ワイヤフレーム２２０を装着するためのフック２２２も含み、それによってワイヤフレーム２２０を、図３及び図４に示されるように、バックボード１００から垂直方向に拡張させることができる。ワイヤフレーム２２０は、補強のためにバックボード１００に密着させた、追加フック２２１も有する。
【００２８】
キットは、クリップ部材４００によって側部材２００に装着される追加パネル含む。クリップ部材４００は、横木及び側部材２００の側部品に密接して嵌合する。そのため側部材２００は、水平及び傾斜した両方の横木を伴うラダー状部材を含む。キットの追加パネルは異なる形状であってよく、限定ではないが、引き出し３２０、棚、キャビネット３７０、折り畳み可能なテーブル３３０、及び椅子を含む。図５に示されるような第１の例において、追加パネルは引き出し３２０の形状である。引き出し３２０は、内側に取り付けられた異なる方向の２対のクリップ４００を有し、それによって引き出し３２０は横木に沿って最大許容内で摺動可能である。クリップの方向を変えることで、引き出し３２０を横木に装着させるだけでなく、引き出し３２０の摺動機能を可能にするための把持チャネルとしても作用する。
【００２９】
図６に示される第２の例において、追加パネルは折り畳み可能なテーブル３３０の形状である。折り畳み可能なテーブル３３０は、テーブル頂部の一方の側３３２にクリップ、及びテーブル頂部の他方の側に折り畳み脚部３３１が装着された、２つ割り形状の折り畳み可能なテーブル頂部を含む。テーブル３３０は、直立構成及びコンパクト構成を有する。直立構成において、テーブル頂部は概ね水平位置にフラットに据えられ、脚部は概ね垂直位置に外側に返され、テーブル頂部を支持する。コンパクト構成において、テーブル頂部の第１のセクションは、テーブル頂部の第２のセクション３３２に対して直角の位置に、下方に回転され、脚部は第１のセクションに対して平行に、内側に返される。テーブルの高さは、折り畳み脚部３３１の延長に相当し、様々な高さで、異なる目的の役割を担うことができる。例えば、より高いテーブルはバーテーブルとして、一方で、より短い折り畳み可能なテーブル３３０は作業デスクとしての役割を担うことができる。
【００３０】
図７及び図８に示される第３の例において、追加パネルが棚の形状であり、この棚はクリップ４００を介して任意の高さに側部材２００に装着可能である。棚は、フラットパネル（３５０、３６０）またはＬ型パネルの形状（３１０、３４０）とすることができ、異なる目的の役割を担う。例えば、フラットパネル（３５０、３６０）は、水平に据えて表示棚を形成することができ；Ｌ型パネル（３１０、３４０）はフラットパネルの上に設置して目に見えない領域を形成することができ；Ｌ型パネル（３１０、３４０）は、側部材２００に斜めの角度で装着することができ、パネルの一方の端部を隆起するよう変換させて、対象物を斜めの角度のパネルに保持することができる。
【００３１】
図９に示す第４の例において、追加パネルはキャビネット３７０の形状である。キャビネット３７０は、側部に２対のクリップを伴う底部パネル、ヒンジ式ドア３７１を伴う２枚の側部パネル３７３、及びジベル接続を介して接続された上部カバーパネル３７２、を有する。
【００３２】
図１０に示されるクリップ部材４００の第１の実施形態は、横木に装着するための「Ｕ」型フック４０２、及び「Ｕ」型フック４０２の頂端部または「Ｕ」型フック４０２のパラボラ基部４０１のいずれかから延びた、フランジ４０４を備える。フランジは、図心に穴４０３を有し、ボルト、係止ナット、及びねじなどの任意の締め付け媒体を受け入れる。
【００３３】
図１１Ａ及び図１１Ｂに示されるクリップ部材４００の第２の実施形態は、梁構造４０５を備え、各自由端は、側部材のフレームの横木に装着するための「Ｕ」型フック４０２を有する。この梁構造は、追加パネル３５０の凹部と噛み合う１対の突起部４０６も有する。
【００３４】
図１２に示されるクリップ部材の第３の実施形態は、各々が溝付きホイール３２１の形状であり、そこで横木がホイールの溝セクション内に据えられる。この実施形態は、引き出し３２０の形状である追加パネルに適用することができ、摩擦が軽減されて、引き出しはより良好に摺動する。
【００３５】
地震が頻繁に発生する特定の国々において、家具は、図１１〜図１３に示すような耐震を伴う特徴を組み入れることができる。１つの例として、クリップ部材４００が、外力によってクリップ４００が横木から外れるのを防止するための固定手段を用いて、クリップ部材の両側部を接続する支持梁構造４０５を、さらに備えることができる。この梁は、追加パネル３５０を保持するためのローラキャッチなどの、１対の保持手段４０６も含む。別の例において、安全手段が、引き出し３２０の溝付きホイール３２１に適用され得る。それによって補強パネル３２２が溝付きホイール３２１の隣に加えられ、引き出し３２０に対してさらなる支持を提供する。さらに、側部材２００の脚部は足部２０１を有し、家具の安定性を促進させるために、そのサイズは拡大され得る。
【００３６】
図１４〜図１６は、ベーシックユニットを有するノックダウン式レイフラット家具を示す。このベーシックユニットは、概ね矩形のバックボード１００と、このバックボード１００の垂直縁部にヒンジ式で接続されたラダー状フレームを備え、バックボード１００上にフラットに据えた位置及びバックボードに対して直角に拡げた位置の間で移動させることができる、１対の概ね矩形の金属製側部材２００と、を含む。キットが直立位置に拡げられたとき、複数の追加パネルは、クリップ部材によってフレームに装着され得る。このクリップ部材は、横木及び側部材の側部品に密接して嵌合する。キットは、追加パネルをベーシックユニットに装着具を固定するための手段を、さらに備える。追加パネルが折り畳みテーブル及び／またはキャビネット棚である例において、固定手段は、図１４及び図１４Ａに示されるように、側部材２００とバックボード１００との間の空隙を有する形状である。そこで、概ね細長いＵ型ストッパ５００は側部材２００にクリップ留めされ、荷重が折り畳みテーブル３３０の外側端部に加えられたときに、折り畳みテーブル３３０がひっくり返るのを制限する。好ましくは、ストッパは、ゴム、エラストマ、エチレンポリピレンジエン（ＥＰＤＭ）、または弾性で摩擦特性を有し、ストッパが側部材２００の所定の位置に留めかつ保持できる任意の他の材料で作られる。
【００３７】
図１５及び図１５Ａに示される安定手段の第２の実施形態で、安定手段は、側部材２００とバックボード１００との間に空隙を有する形状である。側部材２００と係合可能に接触した少なくとも１つの突起部は、この空隙の間の箇所に位置され、追加パネルの一方の縁部から延び、追加パネルの横方向の移動を防止する。１つの例において、Ｌ型パネル３１０は、側縁部から延びる突起部５０１、５０２を有する。突起部５０１、５０２は、側部材２００とバックボード１００との間の空隙の中に嵌合され、それによって、側方の移動が制限されるので、Ｌ型パネル３１０が斜めの位置に設置されたときに、Ｌ型パネル３１０はキットから滑り出ない。好ましくは、突起部５０１、５０２は、金属、プラスチック、木材、または追加パネルがキットから滑り出るのを防止するための強度を有する、任意の他の材料で作られたピンの形状である。
【００３８】
図１６に例示された安全手段の第３の実施形態は、追加パネルの各縁部の穴の中に嵌合されるピン５０３であり、側部材２００への追加パネルの装着を補強する。穴５０４は、追加パネルが装着される水平横木の下方に近接して位置される。折り畳みテーブル３３０を側部材２００へ装着する１つの例において、折り畳みテーブルの長手方向の移動が制限され、折り畳みテーブル３３０がキットから外れるのを防止するように、ピン５０３は、折り畳みテーブル３３０の側縁部における穴の中に嵌合される。好ましくは、ピン５０３は、金属、プラスチック、木材、または追加パネルを所定の位置に保持する強度を有する、任意の他の材料で作られた概ね円筒形のピンである。
【００３９】
本開示は、前述の説明の内容と同様、添付の特許請求の範囲の内容を含む。本発明を、ある程度の独自性を伴う好ましい形態で説明してきたが、好ましい形態の本開示は、単なる例として成され、詳細構造における多くの変更、ならびに、部品の組み合せ及び配置の変更は、本発明の範囲から逸脱することなく行われ得ることを理解されたい。
【図１】
2021501026.tif 000003
【図２】
2021501026.tif 000004
【図３】
2021501026.tif 000005
【図４】
2021501026.tif 000006
【図５】
2021501026.tif 000007
【図６】
2021501026.tif 000008
【図７】
2021501026.tif 000009
【図８】
2021501026.tif 000010
【図９】
2021501026.tif 000011
【図１０】
2021501026.tif 000012
【図１１Ａ】
2021501026.tif 000013
【図１１Ｂ】
2021501026.tif 000014
【図１２】
2021501026.tif 000015
【図１２Ａ】
2021501026.tif 000016
【図１３】
2021501026.tif 000017
【図１４】
2021501026.tif 000018
【図１４Ａ】
2021501026.tif 000019
【図１５】
2021501026.tif 000020
【図１５Ａ】
2021501026.tif 000021
【図１６】
2021501026.tif 000022
【国際調査報告】
2021501026.tif 000023
2021501026.tif 000024